(57)【要約】【課題】表示品位の劣化を防止する液晶表示装置を提供する。【解決手段】第１基板１０１は、第１電極ＰＥと、絶縁層を介して第１電極ＰＥ上に配置された第２電極ＣＥと、第２電極ＣＥと並ぶ第３電極ＣＯＭ１とを備え、第１および第２基板１０１、１０２は、液晶層ＬＱに接するように配置され、液晶層ＬＱに含まれる液晶分子ＬＱＡの初期配向方向を規定するようにラビング処理された一対の配向膜ＡＦ１、ＡＦ２を備え、第１電極ＰＥは、第２電極ＣＥと対向する領域において、第１および第２電極ＰＥ、ＣＥとの間に、液晶分子ＬＱＡの初期配向方向に対して第１方向に鋭角となる方向に電界を生じさせるスリットＳＬと、第１電極ＰＥと第３電極ＣＯＭ１との間に、液晶分子ＬＱＡの初期配向方向に対して第２方向に鋭角に傾く方向電界を生じさせる凸部ＰＥＡとを備え、第２基板１０２は、凸部ＰＥＡが配置された領域と対向する遮光層ＢＭを備える。【選択図】    図２
2010210811.tif 000002
【特許請求の範囲】
【請求項１】
第１基板と、前記第１基板と対向するように配置された第２基板と、前記第１基板と前記第２基板との間に挟持された液晶層と、マトリクス状に配置された複数の表示画素からなる表示部と、を備えた液晶表示装置であって、
前記第１基板は、前記複数の表示画素のそれぞれに配置された第１電極と、絶縁層を介して前記第１電極上に配置された第２電極と、前記第２電極と並ぶように配置された第３電極とを備え、
前記第１基板および前記第２基板は、前記液晶層に接するように配置されているとともに前記液晶層に含まれる液晶分子の初期配向方向を規定するように所定の方向にラビング処理された一対の配向膜を備え、
前記第１電極は、前記第１基板の厚さ方向において前記第２電極とオーバラップする領域で、前記第１電極と前記第２電極との間に、前記第１基板の基板面と略平行であって、前記液晶分子の初期配向方向に対して第１方向に鋭角に傾く方向の電界成分を生じさせるスリットと、
前記第１電極と前記第３電極との間に、前記第１基板の基板面と略平行であって、前記液晶分子の初期配向方向に対して前記第１方向の逆方向に鋭角に傾く方向の電界を生じさせる凸部と、を備え、
前記第２基板は、前記凸部が配置された領域と対向する遮光層を備える液晶表示装置。
【請求項２】
前記第１基板は、前記表示画素が配列する行に沿って配置された走査線と、前記表示画素が配列する列に沿って配置された信号線とをさらに備え、
前記第３電極は、絶縁層を介して前記信号線および前記走査線上に配置されるとともに、前記凸部と噛合う凹部を備える請求項１記載の液晶表示装置。
【請求項３】
前記凸部は、前記走査線と略平行に延びる第１端辺と、前記第１端辺の一端に接続された第２端辺と、前記第１端辺の他端に接続されているとともに前記信号線と略平行に延びる第３端辺とを備え、
前記凹部は、第２端辺と対向するとともに第２端辺と略平行に延びる第４端辺と、第１端辺と対向するとともに第１端辺が延びる方向と略平行に延びる第５端辺と、第３端辺と対向するとともに第３端辺が延びる方向と略平行に延びる第６端辺と、備え、
前記スリットが延びる方向は、前記液晶分子の初期配向方向に対して前記第１方向の逆方向に鋭角に傾く方向であって、
前記第２端辺および第４端辺が延びる方向は、前記液晶分子の初期配向方向に対して前記第１方向の逆方向に鋭角に傾く方向である請求項２記載の液晶表示装置。
【請求項４】
前記第１端辺と前記第４端辺との間隔は、前記第３端辺と前記第６端辺との間隔よりも狭い請求項３記載の液晶表示装置。
【請求項５】
前記第１電極は略矩形状であって、
前記凸部は、前記第１基板の基板面と略平行な方向であって、前記第１電極の長手方向に対して前記配向膜のラビング方向と逆方向に鋭角に傾く方向にある、前記第１電極の角部に配置されている請求項２乃至請求項４記載の液晶表示装置。
【発明の詳細な説明】
【技術分野】
【０００１】
本発明は液晶表示装置に関し、特に、アクティブマトリクス型の液晶表示装置に関する。
【背景技術】
【０００２】
液晶表示装置は、一般に、アレイ基板とアレイ基板と対向して配置される対向基板と、これらアレイ基板と対向基板との間に挟持された液晶層とを備える液晶表示パネルを有している。
【０００３】
近年では、液晶表示装置の、高精細化、小型化、そして広視野角化が要求されている。広視野角化を図る方法として、透明基板に対して面内方向の電界、すなわち横電界を発生させ、この横電界で液晶分子を基板に平行な面内で回転させることで透過率を変化させるＩＰＳ（In Plane Switching Mode）モードやＦＦＳ（Fringe-Field Switching）モードの液晶表示装置が提案されている。
【０００４】
従来、ＩＰＳモードの液晶表示装置において、相互に噛合する櫛歯状電極を用いる構成が提案されている（特許文献１参照）。
【０００５】
また、ＦＦＳモードの液晶表示装置では、アレイ基板上に、絶縁層を介して対向電極と画素電極とを配置し、対向電極にスリットを設け、そのスリットを利用することで、画素電極と対向電極との間に電界を発生させている（特許文献２参照）。
【特許文献１】米国特許第３８０７８３１号公報
【特許文献２】特開２００８−６５２１２号公報
【発明の開示】
【発明が解決しようとする課題】
【０００６】
ＩＰＳモードの液晶表示装置およびＦＦＳモードの液晶表示装置において、一画素内で画素電極と対向電極とがオーバラップしていない領域で、画素電極から表示画素の外側の領域に向けて電界を発生させると、この電界によって液晶分子の回転方向が一定で無い領域が発生する場合がある。
【０００７】
液晶分子の回転方向が一定でない領域が発生すると、互いに液晶分子の回転方向が異なる液晶の界面にてリバースドメインが発生する。このリバースドメインは、高電圧を印可した場合や、液晶表示パネルをその厚さ方向に押す面押し試験等を実施した場合、ドメイン領域が変化してムラ状に視認される。
【０００８】
さらに、拡大したドメイン領域は印可電圧を下げたり、画面に印可する押圧力を解放したりすると電界の力により時定数をもってゆっくり戻ろうとする。そのため、ドメイン領域が初期の状態に戻るまでの期間は、ムラ状に視認されることとなる。
【０００９】
なお、上記の現象はノーマリブラックモードの液晶表示装置で、白画面に近い表示が成されている状態、すなわち、液晶分子が所期配向方向から大きく回転した状態にてよく視認される。
【００１０】
本発明は、上記事情に鑑みて成されたものであって、リバースドメイン領域の発生を抑制することにより表示品位の劣化を防止する液晶表示装置を提供することを目的とする。
【課題を解決するための手段】
【００１１】
本発明の態様による液晶表示装置は、第１基板と、前記第１基板と対向するように配置された第２基板と、前記第１基板と前記第２基板との間に挟持された液晶層と、マトリクス状に配置された複数の表示画素からなる表示部と、を備えた液晶表示装置であって、前記第１基板は、前記複数の表示画素のそれぞれに配置された第１電極と、絶縁層を介して前記第１電極上に配置された第２電極と、前記第２電極と並ぶように配置された第３電極とを備え、前記第１基板および前記第２基板は、前記液晶層に接するように配置されているとともに前記液晶層に含まれる液晶分子の初期配向方向を規定するように所定の方向にラビング処理された一対の配向膜を備え、前記第１電極は、前記第２電極とオーバラップする領域において、前記第１電極と前記第２電極との間に、前記液晶分子の初期配向方向に対して第１方向に鋭角となる電界を生じさせるスリットと、前記第１電極と前記第３電極との間に、前記液晶分子の初期配向方向に対して前記第１方向の逆方向に鋭角となる第２方向に電界を生じさせる凸部と、を備え、前記第２基板は、前記凸部が配置された領域と対向する遮光層を備える。
【発明の効果】
【００１２】
本発明によれば、リバースドメイン領域の発生を抑制することにより表示品位の劣化を防止する液晶表示装置を提供することができる。
【発明を実施するための最良の形態】
【００１３】
以下、本発明の一実施形態に係る液晶表示装置について図面を参照して説明する。本実施形態に係る液晶表示装置は、図１に示すように、互いに対向するように配置されたアレイ基板１０１と対向基板１０２と、アレイ基板１０１と対向基板１０２との間に挟持された液晶層ＬＱと、マトリクス状に配置された複数の表示画素ＰＸからなる表示部１１０とを有している。
【００１４】
アレイ基板１０１は、図２および図４に示すように、絶縁基板ＧＬ１上において、表示画素ＰＸごとに配置された画素電極ＰＥと、絶縁層を介して画素電極ＰＥと対向するように配置された対向電極ＣＥとを有している。本実施形態に係る液晶表示装置では、絶縁基板ＧＬ１上に画素電極ＰＥが配置され、絶縁層を介して画素電極ＰＥ上に対向電極ＣＥが配置されている。画素電極ＰＥと対向電極ＣＥとは、例えばＩＴＯ（Indium Tin Oxide）等の透明導電材料によって形成される。対向電極ＣＥ上には液晶層ＬＱに接するように配向膜ＡＦ１が配置されている。
【００１５】
さらに、アレイ基板１０１は、表示部１１０において表示画素ＰＸが配列する行方向と略平行に延びるとともに画素電極ＰＥの周囲の領域に配置された走査線ＹＬと、表示画素ＰＸが配列する列方向と略平行に延びるように配置された信号線ＸＬとを有している。
【００１６】
走査線ＹＬは、表示部１１０の外部に配置された走査線駆動回路１２１に接続されている。信号線ＸＬは、表示部１１０の外部に配置された信号線駆動回路１２０に接続されている。
【００１７】
それぞれの表示画素ＰＸにおいて、走査線ＹＬと信号線ＸＬとが交差する位置近傍には画素スイッチＳＷが配置されている。画素スイッチＳＷは、例えば、スイッチング素子として薄膜トランジスタを有している。
【００１８】
画素スイッチＳＷのゲート電極は、対応する走査線ＹＬに電気的に接続されている、あるいは、対応する走査線ＹＬと一体に形成されている。画素スイッチＳＷのソース電極は、対応する信号線ＸＬに電気的に接続されている、あるいは、対応する信号線ＸＬと一体に形成されている。画素スイッチＳＷのドレイン電極は、画素電極ＰＥに電気的に接続されている。
【００１９】
走査線駆動回路１２１によって、走査線ＹＬが選択されると、画素スイッチＳＷのソース−ドレインパスが導通し、画素電極ＰＥに画素スイッチＳＷを介して対応する信号線ＸＬから映像信号が印加される。
【００２０】
図２および図４に示すように、本実施形態に係る液晶表示装置では、信号線ＸＬおよび走査線ＹＬの上層おいて、対向電極ＣＥと並ぶように第１共通電極ＣＯＭ１が配置され、走査線ＹＬと略平行に延びるように第２共通電極ＣＯＭ２が配置されている。第１共通電極ＣＯＭ１は、図２に示すように、画素電極ＰＥを囲むように配置されている。第１共通電極ＣＯＭ１は例えばＩＴＯによって形成されている。
【００２１】
第１共通電極ＣＯＭ１および第２共通電極ＣＯＭ２には、対向電極駆動回路（図示せず）から対向電圧が供給され、第２共通電極ＣＯＭ２から対向電極ＣＥに対向電圧が供給されている。
【００２２】
カラー表示タイプの液晶表示装置の場合、対向基板１０２は、図４に示すように、絶縁基板ＧＬ２上において表示画素ＰＸを囲むように配置された遮光層ＢＭと、カラーフィルタ層ＣＦと、カラーフィルタ層ＣＦ上に液晶層ＬＱと接するように配置された配向膜とを有している。
【００２３】
アレイ基板１０１の配向膜ＡＦ１と対向基板１０２の配向膜ＡＦ２とは液晶層ＬＱを介して互いに対向し、液晶層ＬＱに含まれる液晶分子ＬＱＡの配向方向を制御するために所定の方向にラビング処理がなされている。配向膜ＡＦ１および配向膜ＡＦ２がラビング処理されるラビング方向によって、液晶分子ＬＱＡの初期配向方向が規定される。
【００２４】
なお、本実施形態において、液晶分子ＬＱＡの初期配向方向とは、画素電極ＰＥと対向電極ＣＥとの間に電界が生じていない状態における液晶分子ＬＱＡの配向方向である。
【００２５】
本実施形態に係る液晶表示装置では、アレイ基板１０１の配向膜ＡＦ１と対向基板１０２の配向膜ＡＦ２とは、図２に示す方向ＤＡにラビング処理がなされている。ラビング方向ＤＡは、信号線ＸＬが延びる方向Ｄ１に対して、時計回りに鋭角θＡだけ傾いた方向である。
【００２６】
本実施形態に係る液晶表示装置では、画素電極ＰＥは、図２に示すように、略平行に延びる複数のスリットＳＬを有している。スリットＳＬは、スリットＳＬが延びる方向に対して略直交する方向に、ほぼ等間隔に配置されている。
【００２７】
液晶分子ＬＱＡの初期配向方向に対応して液晶分子ＬＱＡの配向方向を制御可能となるように配置されている。本実施形態に係る液晶表示装置では、スリットＳＬは、表示画素ＰＸの長手方向、すなわち信号線ＸＬが延びる方向Ｄ１と略平行に延びている。
【００２８】
このようにスリットＳＬを配置すると、画素電極ＰＥと対向電極ＣＥとの間に生じる電界は、走査線ＹＬが延びる方向と略平行な方向Ｄ２の電界成分を有する。この電界成分によって液晶分子ＬＱＡの配向方向を初期配向方向から変化させて、配向方向を制御することができる。
【００２９】
また、図２に示すように、スリットＳＬは、その端部において、信号線ＸＬが延びる方向に対して、反時計回りに鋭角θＢに傾く方向ＤＢ側が突出している。方向ＤＢは、信号線ＸＬが延びる方向Ｄ１に対して、配向膜ＡＦ１のラビング方向ＤＡとは反対方向に傾いている。
【００３０】
また、図２および図３に示すように、画素電極ＰＥは、アレイ基板１０１の厚さ方向において、絶縁層を介して対向電極ＣＥとオーバラップしない領域を有する端部ＰＥＥを備えている。
【００３１】
端部ＰＥＥは、その角部近傍に凸部ＰＥＡを有している。端部ＰＥＥの凸部ＰＥＡは、遮光層ＢＭと対向する位置に配置されている。ここで、画素電極ＰＥは略矩形状であって、凸部ＰＥＡが配置された端部ＰＥＥの角部とは、この略矩形状の画素電極ＰＥの４つの角部のうち、表示画素ＰＷの中央部から見て、配向膜ＡＦ１のラビング方向ＤＡに対して、スリットＳＬ近傍での液晶分子ＬＱＡの回転方向の逆方向（反時計回り方向）に鋭角θＢに傾く方向ＤＢにある画素電極ＰＥの角近傍である。
【００３２】
画素電極ＰＥの端部ＰＥＥは、図３に示すように、略矩形状の対向電極ＣＥの短辺と略平行に延びるとともに、対向電極ＣＥの短辺よりも表示画素ＰＸの内側に配置された端辺ＰＥ１と、対向電極ＣＥの短辺と略平行に延びるとともに、対向電極ＣＥの短辺よりも表示画素ＰＸの外側に配置された端辺ＰＥ２と、端辺ＰＥ１の一端と端辺ＰＥ２の一端とを接続する端辺ＰＥ３と、端辺ＰＥ３の他端に接続されているとともに、信号線ＸＬと略平行に延びる端辺ＰＥ４とを有している。
【００３３】
端辺ＰＥ１は対向電極ＣＥと対向する位置に配置されている。端辺ＰＥ１は対向電極ＣＥと対向する位置に配置されている。端辺ＰＥ２および端辺ＰＥ４は、対向電極ＣＥが配置された領域よりも表示画素ＰＸの外側に配置されている。
【００３４】
端辺ＰＥ３は、スリットＳＬ近傍の液晶分子ＬＱＡの初期配向方向に対して、スリットＳＬ近傍での液晶分子ＬＱＡの回転方向と逆方向（反時計回り方向）に鋭角に傾いた方向に延びている。
【００３５】
さらに、第１共通電極ＣＯＭ１は、端辺ＰＥ１と対向するとともに方向Ｄ２と略平行な方向に延びる端辺Ｃ１と、端辺ＰＥ３と対向するとともに端辺ＰＥ３と略平行に延びる端辺Ｃ２と、端辺ＰＥ２と対向するとともに方向Ｄ２と略平行な方向に延びる端辺Ｃ３と、端辺ＰＥ４と対向するとともに方向Ｄ１と略平行な方向に延びる端辺Ｃ４と、を有している。端辺Ｃ２は、端辺Ｃ１の一端と端辺Ｃ３の一端とを接続している。端辺Ｃ４は、端辺Ｃ３の他端に接続されている。
【００３６】
端辺ＰＥ２と端辺Ｃ３との間隔Ｗ２は、端辺ＰＥ４と端辺Ｃ４との間隔Ｗ１よりも狭くなっている。したがって、端部ＰＥＥの凸部ＰＥＡにおいて、端辺ＰＥ４と端辺Ｃ４との間に生じる電界よりも、端辺ＰＥ２と端辺Ｃ３との間の方に集中して電界が生じる。
【００３７】
次に、上記の液晶表示装置の動作について説明する。走査線駆動回路１２１は、走査線ＹＬを順次駆動し、駆動された走査線ＹＬに接続された画素スイッチＳＷのソース−ドレインパスを導通させる。信号線駆動回路１２０は、それぞれの表示画素ＰＸに対応する映像信号を信号線ＸＬに印加する。画素電極ＰＥには、画素スイッチＳＷを介して、対応する信号線ＸＬから映像信号が印加される。対向電極ＣＥには、第２共通電極ＣＯＭ２を介して対向電圧が印加される。
【００３８】
したがって、画素電極ＰＥの電位と対向電極ＣＥの電位との電位差によって、液晶層ＬＱに電界が生じる。この電界は、アレイ基板１０１の基板面方向に略平行な電界成分と、基板面方向に略直交する電界成分とを有している。アレイ基板１０１の基板面に略平行な電界成分は、スリットＳＬが延びる方向Ｄ１と略直交する方向の成分である。
【００３９】
本実施形態に係る液晶表示装置では、図４に示すように、画素電極ＰＥと信号線ＸＬ上に配置された第１共通電極ＣＯＭ１との間にも、アレイ基板１０１の基板面と略平行な方向において、スリットＳＬが延びる方向Ｄ１と略直交する方向の電界成分が生じる。
【００４０】
液晶層ＬＱに含まれる液晶分子は、上記のように画素電極ＰＥと対向電極ＣＥとの間に生じる電界、および、画素電極ＰＥと第１共通電極ＣＯＭ１との間に生じる電界によって、その配向方向を制御される。すなわち、本実施形態に係る液晶表示装置は、ＩＰＳモードとＦＦＳモードとを組み合わせた液晶表示装置である。
【００４１】
図２に示す場合では、液晶分子の初期配向方向はラビング方向ＤＡに沿った方向（図３に示す方向ＤＡ´）である。画素電極ＰＥ、対向電極ＣＥおよび第１共通電極ＣＯＭ１に電圧が印加されると、画素電極ＰＥと対向電極ＣＥとの間には、スリットＳＬが延びる方向Ｄ１と略直交する方向Ｄ２の電界成分が生じる。したがって、画素電極ＰＥと対向電極ＣＥとが絶縁層を介してオーバラップする領域の近傍では、液晶分子ＬＱＡは初期配向方向から方向Ｄ２側へと時計回りに回転する。
【００４２】
ここで、アレイ基板１０１の厚さ方向において、画素電極ＰＥと対向電極ＣＥとがオーバラップしない領域近傍の液晶分子ＬＱＡの制御について検討する。端部ＰＥＥの端辺ＰＥ４と、第１共通電極ＣＯＭ１の端辺Ｃ４との間には、図３に示すように走査線ＹＬが延びる方向と略平行な方向Ｄ２の電界が生じる。時計回りにみた場合、方向Ｄ２は液晶分子ＬＱＡの初期配向方向に対して鋭角である。
【００４３】
したがって、画素電極ＰＥと第１共通電極ＣＯＭ１とに電圧が印加されると、画素電極ＰＥの端辺ＰＥ４と第１共通電極ＣＯＭ１の端辺Ｃ４との間の領域近傍の液晶分子ＬＱＡは、初期配向方向から時計回りに回転する。すなわち、この領域近傍では、液晶分子ＬＱＡは、アレイ基板１０１の厚さ方向において画素電極ＰＥと対向電極ＣＥとがオーバラップする領域近傍の液晶分子ＬＱＡと同じ方向に回転する。
【００４４】
画素電極ＰＥと第１共通電極ＣＯＭ１とに電圧が印加されると、端辺ＰＥ４の一部、端辺ＰＥ２、および端辺ＰＥ３の一部により構成される画素電極ＰＥの凸部ＰＥＡと、第１共通電極ＣＯＭ１の端辺Ｃ４の一部、端辺Ｃ３、および端辺Ｃ２とにより構成される凹部ＲＥＣとの間には、図３に示すように、反時計回りに見た場合に、液晶分子ＬＱＡの初期配向方向に対して鋭角である方向に電界が生じる。
【００４５】
したがって、画素電極ＰＥと第１共通電極ＣＯＭ１とに電圧が印加されると、端部ＰＥＥの凸部近傍の液晶分子ＬＱＡは、初期配向方向から反時計回りに回転する。すなわち、この領域近傍では、液晶分子ＬＱＡは、アレイ基板１０１の厚さ方向において画素電極ＰＥと対向電極ＣＥとがオーバラップする領域近傍の液晶分子ＬＱＡと逆方向に回転する。
【００４６】
さらに、画素電極ＰＥと第１共通電極ＣＯＭ１とに電圧が印加されると、画素電極ＰＥの端辺ＰＥ３および端辺ＰＥ１の一部の近傍と、第１共通電極ＣＯＭ１の端辺Ｃ２および端辺Ｃ１の近傍と間には、図３に示すように、時計回りに見た場合に、液晶分子ＬＱＡの初期配向方向に対して鋭角である方向に電界が生じる。
【００４７】
したがって、画素電極ＰＥと第１共通電極ＣＯＭ１とに電圧が印加されると、端部ＰＥＥの端辺ＰＥ３および端辺ＰＥ１の一部の近傍の領域と、第１共通電極ＣＯＭ１の端辺Ｃ２および端辺Ｃ１の近傍との間の領域では、液晶分子ＬＱＡは初期配向方向から時計回りに回転する。すなわち、この領域近傍では、液晶分子ＬＱＡは、画素電極ＰＥと対向電極ＣＥとがオーバラップする領域近傍の液晶分子ＬＱＡと同じ方向に回転する。
【００４８】
したがって、端部ＰＥＥの凸部ＰＥＡと第１共通電極ＣＯＭ１の凹部ＲＥＣとの近傍には、リバースドメインＤＭが生じる。リバースドメインＤＭは、アレイ基板１０１の厚さ方向において画素電極ＰＥと対向電極ＣＥとがオーバラップする領域近傍の液晶分子ＬＱＡの回転する方向（時計回り方向）に対して、液晶分子ＬＱＡが逆方向（反時計回り方向）に回転する領域である。
【００４９】
ここで、本実施形態に係る液晶表示装置では、リバースドメインＤＭが生じる領域は、液晶表示パネルの厚さ方向において対向基板１０２の遮光層ＢＭと対向している。さらに、本実施形態に係る液晶表示装置では、端辺ＰＥ２と端辺Ｃ３との間隔Ｗ２は、端辺ＰＥ４と端辺Ｃ４との間隔Ｗ１よりも狭いため、端辺ＰＥ４と端辺Ｃ４との間の領域近傍よりも、端辺ＰＥ２と端辺Ｃ３との間の領域近傍に集中して電界が生じる。
【００５０】
このことによって、本実施形態に係る液晶表示装置では、端辺ＰＥ２と端辺Ｃ３との間の領域近傍には、端辺ＰＥ４と端辺Ｃ４との間の領域近傍よりも強い電界が生じ、リバースドメインＤＭを遮光層ＢＭによって遮光された画素電極ＰＥの凸部近傍に留まらせることが可能となる。
【００５１】
また、本実施形態に係る液晶表示装置では、リバースドメインＤＭが発生する領域を最小限にすることができる。例えば画素電極ＰＥの端部ＰＥＥが、対向電極ＣＥの短辺と略平行に延びる略直線状の端辺を有している場合、リバースドメインＤＭは、画素電極ＰＥの略直線状の端辺に沿って、この略直線状の端辺と第１共通電極ＣＯＭ１との間の領域近傍に生じることとなる。すなわち、画素電極ＰＥの略直線状の端辺に沿って方向Ｄ２に延びるリバースドメインＤＭが生じることとなる。
【００５２】
このように、画素電極ＰＥの略直線状の端辺に沿ってリバースドメインＤＭが生じると、例えば、画素電極ＰＥの略直線状の端辺の中央部近傍が押圧された場合に、リバースドメインＤＭが表示画素ＰＸの内側に向かって延びるように成長してしまい、ムラとして視認されてしまう。
【００５３】
これに対し、本実施形態に係る液晶表示装置では、図３に示すように、リバースドメインＤＭが生じる領域は、画素電極ＰＥの凸部ＰＥＡ近傍のみであって、表示ムラの原因であるリバースドメインＤＭ自体の発生が抑制されている。
【００５４】
さらに、本実施形態に係る液晶表示装置では、画素電極ＰＥの端部ＰＥＥにおいて、端辺ＰＥ１が対向電極ＣＥの短辺よりも表示画素ＰＸの内側に配置されている。したがって、絶縁層を介して走査線ＹＬ上に配置された第１共通電極ＣＯＭ１を表示画素ＰＸの内側に突出させることが可能となる。その結果、相乗効果として走査線ＹＬのシールド領域を増加させることが可能となり、対向基板１０２側に走査線ＹＬに供給される信号がリークすることにより発生する不具合、例えば、走査線ＹＬが配置された領域近傍の液晶分子ＬＱＡの配向不良等を防止することができる。
【００５５】
また、本実施形態に係る液晶表示装置では、アレイ基板１０１の厚さ方向において、画素電極ＰＥと対向電極ＣＥとが絶縁層を介してオーバラップしない領域であっても、画素電極ＰＥと第１共通電極ＣＯＭ１との間に電界が生じる。このことから、画素電極ＰＥと信号線ＸＬとの間の領域近傍の液晶の配向状態も制御可能となり、開口率を向上させることができる。
【００５６】
さらに、信号線ＸＬと画素電極ＰＥとの間の領域近傍の液晶の配向状態が制御されるため、信号線ＸＬ近傍で光抜けが生じることがなくなる。したがって、この場合には、対向基板１０２には、光抜け対策としての遮光層を必ずしも設けなくてもよい。少なくとも、画素電極ＰＥの端部ＰＥＥと対向するように遮光層ＢＭを配置することにより本願特有の効果は発揮される。
【００５７】
また、信号線ＸＬと画素電極ＰＥが同層に配置されるため、画素電極ＰＥと、信号線ＸＬ、画素スイッチＳＷのソース電極および画素スイッチＳＷのドレイン電極を同層に形成可能である。したがって、この場合には、画素スイッチＳＷのドレイン電極と画素電極ＰＥとを一体に形成することが可能となり、この場合にはドレイン電極と画素電極ＰＥとを接続するためのコンタクトホール（従来は形成していた：図示せず）を必ずしも設ける必要は無いことを意味する。コンタクトホールを配置しない場合には、液晶表示装置の開口率をさらに向上させることができる。
【００５８】
すなわち、本実施形態に係る液晶表示装置によれば、ドメイン領域の発生を抑制することにより表示品位の劣化を防止する液晶表示装置を提供することができる。
【００５９】
なお、この発明は、上記実施形態そのままに限定されるものではなく、実施段階ではその要旨を逸脱しない範囲で構成要素を変形して具体化できる。
【００６０】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００６１】
【図１】本発明の一実施形態に係る液晶表示装置の構成例を概略的に示す図。
【図２】図１に示す液晶表示装置の表示画素の構成の一例を概略的に示す図。
【図３】図２に示す表示画素の画素電極と第１共通電極との間に生じる電界の方向と液晶分子の初期配向方向との関係を説明するための図。
【図４】図２に示す線ＩＶ−ＩＶにおける液晶表示パネルの断面の一例を概略的に示す図。
【符号の説明】
【００６２】
ＡＦ１、ＡＦ２…配向膜、ＬＱ…液晶層、ＬＱＡ…液晶分子、ＰＸ…表示画素、ＰＥ…画素電極、ＰＥＡ…凸部、ＣＯＭ１…第１共通電極、ＣＥ…対向電極、ＢＭ…遮光層、ＳＬ…スリット、１０１…アレイ基板、１０２…対向基板、１１０…表示部
【図１】
2010210811.tif 000003
【図２】
2010210811.tif 000004
【図３】
2010210811.tif 000005
【図４】
2010210811.tif 000006